(57)【要約】【課題】通信中の回線の回線品質を安定化すること。【解決手段】通信中の複数チャネルの回線品質に関する物理量をそれぞれ測定する測定部２２と、移動局から通信要求を受け付けたときに、物理量に基づいて移動局にチャネルを新規に割り当てることの可否を判別する制御部４とを具備している。一般に、基地局装置１が移動局に新規にチャネルを割り当てると、通信中の複数のチャネルの干渉が増加する。制御部４は、新規にチャネルを割り当てた場合に通信中のチャネルに要求される回線品質を保証できないときに、割り当てを拒否する。この結果、通信中のチャネルの回線品質の低下と通信中のチャネルの切断とが防止される。【選択図】図１
2004032210.tif 000002
【特許請求の範囲】
【請求項１】
通信中の複数チャネルの回線品質に関する物理量をそれぞれ測定する測定部と、
移動局から通信要求を受け付けたときに、前記物理量に基づいて前記移動局にチャネルを新規に割り当てることの可否を判別する制御部
とを具備する基地局装置。
【請求項２】
請求項１において、
前記物理量は、前記複数チャネルのうちの１つのチャネルの希望波受信信号電力を熱雑音電力と前記複数チャネルのうちの他のチャネルの干渉電力との和で除算した商であり、
前記制御部は、前記複数チャネルの前記商の最小値が閾値より小さいときに、前記移動局に前記チャネルを割り当てることを拒絶する
基地局装置。
【請求項３】
請求項１において、
前記物理量は、前記複数チャネルの各チャネルにおけるビット誤り率であり、前記制御部は、前記ビット誤り率の最大値が閾値より大きいときに、前記移動局に前記チャネルを割り当てることを拒絶する
基地局装置。
【請求項４】
請求項１において、
前記物理量は、
前記複数チャネルのうちの１つのチャネルの希望波受信信号電力を熱雑音電力と前記複数チャネルのうちの他のチャネルの干渉電力との和で除算した商と、
前記複数チャネルの各チャネルにおけるビット誤り率とを含み、
前記制御部は、前記複数チャネルの前記商の最小値が第１閾値より小さいときに、または、前記ビット誤り率の最大値が第２閾値より大きいときに、前記移動局に前記チャネルを割り当てることを拒絶する
基地局装置。
【請求項５】
請求項１において、
前記物理量は、複数チャネルのうちの１つのチャネルの希望波受信信号電力を熱雑音電力と前記複数チャネルのうちの他のチャネルの干渉電力との和で除算した商であり、
前記制御部は、前記商と前記商の目標値との差が所定の時間以上だけ所定の閾値以上であるときに、前記移動局にチャネルを新規に割り当てることを拒絶する
基地局装置。
【請求項６】
請求項１〜請求項５のいずれかにおいて、
前記複数チャネルは、通話チャネルと，前記通話チャネルより良い回線品質が要求されるデータ通信チャネルとを含み、
前記制御部は、前記データ通信チャネルの前記物理量にのみ基づいて前記可否を判別する
基地局装置。
【請求項７】
請求項２〜請求項６のいずれかにおいて、
前記複数チャネルの拡散率は、要求される伝送速度と回線品質とに基づいて導出され、
前記移動局に新規に割り当てられるチャネルの拡散率は、前記複数チャネルと同様にして導出された拡散率より大きい
基地局装置。
【請求項８】
請求項２〜請求項６のいずれかにおいて、
前記制御部は、前記回線品質が劣化しないように、前記複数チャネルの拡散率を大きくして前記移動局にチャネルを新規に割り当てることを許可する
基地局装置。
【請求項９】
通信中の複数チャネルの回線品質に関する物理量をそれぞれ測定するステップと、
移動局から通信要求を受け付けたときに、前記物理量に基づいて前記移動局にチャネルを新規に割り当てることの可否を判別するステップ
とを具備する回線接続制御方法。
【請求項１０】
請求項９において、
前記物理量は、前記複数チャネルのうちの１つのチャネルの希望波受信信号電力を熱雑音電力と前記複数チャネルのうちの他のチャネルの干渉電力との和で除算した商であり、
前記判別するステップは、前記複数チャネルの前記商の最小値が閾値より小さいときに、前記移動局に前記チャネルを割り当てることを拒絶する
回線接続制御方法。
【請求項１１】
請求項９において、
前記物理量は、前記複数チャネルの各チャネルにおけるビット誤り率であり、前記判別するステップは、前記ビット誤り率の最大値が閾値より大きいときに、前記移動局に前記チャネルを割り当てることを拒絶する
回線接続制御方法。
【請求項１２】
請求項９において、
前記物理量は、
前記複数チャネルのうちの１つのチャネルの希望波受信信号電力を熱雑音電力と前記複数チャネルのうちの他のチャネルの干渉電力との和で除算した商と、
前記複数チャネルの各チャネルにおけるビット誤り率とを含み、
前記判別するステップは、前記複数チャネルの前記商の最小値が第１閾値より小さいときに、または、前記ビット誤り率の最大値が第２閾値より大きいときに、前記移動局に前記チャネルを割り当てることを拒絶する
回線接続制御方法。
【請求項１３】
請求項９において、
前記物理量は、複数チャネルのうちの１つのチャネルの希望波受信信号電力を熱雑音電力と前記複数チャネルのうちの他のチャネルの干渉電力との和で除算した商であり、
前記判別するステップは、前記商と前記商の目標値との差が所定の時間以上だけ所定の閾値以上であるときに、前記移動局にチャネルを新規に割り当てることを拒絶する
回線接続制御方法。
【請求項１４】
請求項９〜請求項１３のいずれかにおいて、
前記複数チャネルは、通話チャネルと，前記通話チャネルより良い回線品質が要求されるデータ通信チャネルとを含み、
前記判別するステップは、前記データ通信チャネルの前記物理量にのみ基づいて前記可否を判別する
回線接続制御方法。
【請求項１５】
請求項１０〜請求項１４のいずれかにおいて、
前記複数チャネルの拡散率は、要求される伝送速度と回線品質とに基づいて導出され、
前記移動局に新規に割り当てられるチャネルの拡散率は、前記複数チャネルと同様にして導出された拡散率より大きい
回線接続制御方法。
【請求項１６】
請求項１０〜請求項１４のいずれかにおいて、
前記判別するステップは、前記回線品質が劣化しないように、前記複数チャネルの拡散率を大きくして前記移動局にチャネルを新規に割り当てることを許可する
回線接続制御方法。
【発明の詳細な説明】
【０００１】
【発明の属する技術分野】
本発明は、基地局装置及び回線接続制御方法に関し、特に、Ｗ−ＣＤＭＡ方式による移動通信システムに適用される基地局装置及び回線接続制御方法に関する。
【０００２】
【従来の技術】
移動通信システムでは、基地局装置と移動局（携帯電話機、自動車電話機など）との通信の回線品質を向上させ、移動局が基地局装置に割り当てられたチャネル資源を高能率に共有することが望まれている。図７は、公知のＷ−ＣＤＭＡ方式による移動通信システムに適用される基地局装置を示している。その基地局装置１００は、直交検波部１０１、相関検出部１０２、逆拡散部１０３、レイク合成部１０４、誤り訂正復号部１０５、誤り検出測定部１０６、目標品質生成部１０７、回線品質比較部１０８、目標ＳＩＲ生成部１０９、ＳＩＲ測定部１１０、ＳＩＲ比較部１１１、ＴＰＣビット生成部１１２、データ多重部１１３、ＱＰＳＫマッピング部１１４、拡散部１１５、符号多重部１１６および直交変調部１１７を備えている。このうち、相関検出部１０２、逆拡散部１０３、レイク合成部１０４、誤り訂正復号部１０５、誤り検出測定部１０６、目標品質生成部１０７、回線品質比較部１０８、目標ＳＩＲ生成部１０９、ＳＩＲ測定部１１０、ＳＩＲ比較部１１１およびＴＰＣビット生成部１１２は、基地局装置１００に割り当てられているチャネルの数だけ設けられている。
【０００３】
直交検波部１０１は、移動局から電波を介して送信された受信信号を直交検波する。相関検出部１０２は、直交検波された受信信号と拡散符号系列とを相関処理して受信信号のパスを検出する。逆拡散部１０３は、パスと拡散符号とを用いて受信信号を逆拡散する。レイク合成部１０４は、逆拡散された受信信号をパス毎に推定位相から補正し、同位相で合成する。誤り訂正復号部１０５は、レイク合成された受信信号を復号する。
【０００４】
誤り検出測定部１０６は、復号された受信信号のビット誤り率を測定する。目標品質生成部１０７は、ビット誤り率の目標である目標ビット誤り率を生成する。回線品質比較部１０８は、測定されたビット誤り率と目標ビット誤り率とを比較する。目標ＳＩＲ生成部１０９は、回線品質比較部１０８による比較結果に基づいて目標ＳＩＲを生成する。ＳＩＲ測定部１１０は、レイク合成部１０４された受信信号のＳＩＲ（希望波受信信号電力対干渉波電力比）を測定する。ＳＩＲ比較部１１１は、測定されたＳＩＲと目標ＳＩＲとを比較する。ＴＰＣビット生成部１１２は、ＳＩＲ比較部１１１による比較結果に基づいてＴＰＣビットを生成する。
【０００５】
データ多重部１１３は、通信網からの送信データとＴＰＣビットとを多重化する。ＱＰＳＫマッピング部１１４は、多重化された信号をＱＰＳＫマッピングする。拡散部１１５は、ＱＰＳＫマッピングされた信号を拡散符号により直接拡散する。符号多重部１１６は、複数のチャネルの拡散された信号を多重する。直交変調部１１７は、多重化された信号を直交変調して送信信号を生成する。その送信信号は、電波を介して移動局に送信される。
【０００６】
図８は、チャネルが割り当てられた移動局から基地局装置１００に送信される上り回線信号のフレームを示している。上り回線信号は、パイロットビット、送信データおよびＴＰＣビットから形成されるスロットを単位として送信される。パイロットビットは、既知のビットパターンであり、上り回線信号を同期検波するために使用され、ＳＩＲを測定するために使用される。送信データは、その移動局から通信網に接続されている他の端末に伝送される情報を示している。ＴＰＣビットは、基地局装置１００により出力される電波の強度を制御するコマンドである。基地局装置１００は、ＴＰＣビットに基づいて移動局に出力する電波の送信電力を変更する。
【０００７】
図９は、基地局装置１００からチャネルが割り当てられた移動局に送信される下り回線信号のフレームを示している。上り回線信号は、送信データ、パイロットビットおよびＴＰＣビットから形成されるスロットを単位として送信される。パイロットビットは、既知のビットパターンであり、下り回線信号を同期検波するために使用され、ＳＩＲを測定するために使用される。送信データは、通信網に接続されている他の端末からその移動局に伝送される情報を示している。ＴＰＣビットは、移動局により出力される電波の強度（送信電力）を制御するコマンドである。すなわち、ＴＰＣビットは、測定されたＳＩＲが目標ＳＩＲより大きいときに、送信電力を小さくするコマンドであり、測定されたＳＩＲが目標ＳＩＲより小さいときに、送信電力を大きくするコマンドである。移動局は、受信したＴＰＣビットに基づいて基地局装置１００に出力する電波の送信電力を変更する。
【０００８】
このような移動通信システムでは、要求される回線品質に対して送信電力を最小にすることができ、収容可能である回線容量を大きくすることができる。
【０００９】
移動通信システムでは、すべての移動局が通信網に通信するためのチャネルが常時に設定されていない。このため、基地局装置１は、チャネルが割り当てられていない移動局からの通信の要求（呼）の都度、その移動局に基地局装置１に割り当てられた複数のチャネル資源のうち空いているチャネルを割り当てる。基地局装置１００が収容可能である回線以上に回線接続要求を受け付けると、基地局装置１００が受信する上り回線信号の干渉が増加して、通信中のチャネルの回線品質の劣化、通信中のチャネルの切断を招く。通常、回線容量は、品質を上げようとすると、小さくなり、品質を落とせば、上げることができる。通信中のチャネルの回線品質の低下を防止し、通信中のチャネルの信頼性を向上させる移動通信システムが望まれている。
【００１０】
【発明が解決しようとする課題】
本発明の課題は、通信中の回線の信頼性を向上する基地局装置及び回線接続制御方法を提供することにある。
本発明の他の課題は、通信中の回線の回線品質を安定化する基地局装置及び回線接続制御方法を提供することにある。
本発明のさらに他の課題は、通信中の回線の回線品質の低下を防止する基地局装置及び回線接続制御方法を提供することにある。
【００１１】
【課題を解決するための手段】
以下に、［発明の実施の形態］で使用される番号・符号を括弧（）付きで用いて、課題を解決するための手段を説明する。これらの番号・符号は、［特許請求の範囲］の記載と［発明の実施の形態］の記載との対応関係を明らかにするために付加されたものであり、［特許請求の範囲］に記載されている発明の技術的範囲の解釈に用いてはならない。
【００１２】
本発明による基地局装置（１）は、通信中の複数チャネルの回線品質に関する物理量をそれぞれ測定する測定部（２２）と、移動局から通信要求を受け付けたときに、物理量に基づいて移動局にチャネルを新規に割り当てることの可否を判別する制御部（４）とを具備している。一般に、基地局装置（１）が移動局に新規にチャネルを割り当てると、通信中の複数のチャネルの干渉が増加する。制御部（４）は、新規にチャネルを割り当てた場合に通信中のチャネルに要求される回線品質を保証できないときに、割り当てを拒否する。この結果、通信中のチャネルの回線品質の低下と通信中のチャネルの切断とを防止する。
【００１３】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）であり、制御部（４）は、複数チャネルの商の最小値が閾値より小さいときに、移動局にチャネルを割り当てることを拒絶することが好ましい。
【００１４】
物理量は、複数チャネルのビット誤り率であり、制御部（４）は、複数チャネルのビット誤り率の最大値が閾値より大きいときに、移動局にチャネルを割り当てることを拒絶することが好ましい。
【００１５】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）と、複数チャネルの各チャネルにおけるビット誤り率とを含んでいる。制御部（４）は、複数チャネルの商の最小値が第１閾値より小さいときに、または、複数チャネルのビット誤り率の最大値が第２閾値より大きいときに、移動局にチャネルを割り当てることを拒絶することが好ましい。
【００１６】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）であり、制御部（４）は、商と商の目標値との差が所定の時間以上だけ所定の閾値以上であるときに、移動局にチャネルを新規に割り当てることを拒絶することが好ましい。
【００１７】
複数チャネルは、通話チャネルと，通話チャネルより良い回線品質が要求されるデータ通信チャネルとを含んでいる。制御部（４）は、データ通信チャネルの物理量にのみ基づいて可否を判別することが好ましい。
【００１８】
通信中の複数チャネルの拡散率は、要求される伝送速度と回線品質とに基づいて導出される。移動局に新規に割り当てられるチャネルの拡散率は、その複数チャネルと同様にして導出された拡散率より大きい。このような拡散率の制御は、通信中の複数チャネルへの干渉が小さく、複数チャネルの回線品質の劣化が小さい点で好ましい。
【００１９】
制御部（４）は、回線品質が劣化しないように、複数チャネルの拡散率を大きくして移動局にチャネルを新規に割り当てることを許可する。各チャネルの帯域を狭くして、移動局にチャネルを新規に割り当てることが好ましい。
【００２０】
本発明による回線接続制御方法は、基地局装置（１）を用いて実行され、通信中の複数チャネルの回線品質に関する物理量をそれぞれ測定するステップと、移動局から通信要求を受け付けたときに、物理量に基づいて移動局にチャネルを新規に割り当てることの可否を判別するステップとを具備している。一般に、基地局装置（１）が移動局に新規にチャネルを割り当てると、通信中の複数のチャネルの干渉が増加する。基地局装置（１）は、新規にチャネルを割り当てた場合に通信中のチャネルに要求される回線品質を保証できないときに、割り当てを拒否する。この結果、通信中のチャネルの回線品質の低下と通信中のチャネルの切断とを防止する。
【００２１】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）であり、判別するステップは、複数チャネルの商の最小値が閾値より小さいときに、移動局にチャネルを割り当てることを拒絶することが好ましい。
【００２２】
物理量は、複数チャネルの各チャネルにおけるビット誤り率であり、判別するステップは、複数チャネルのビット誤り率の最大値が閾値より大きいときに、移動局にチャネルを割り当てることを拒絶することが好ましい。
【００２３】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）と、複数チャネルの各チャネルにおけるビット誤り率とを含んでいる。判別するステップは、複数チャネルの商の最小値が第１閾値より小さいときに、または、複数チャネルのビット誤り率の最大値が第２閾値より大きいときに、移動局にチャネルを割り当てることを拒絶することが好ましい。
【００２４】
物理量は、複数チャネルのうちの１つのチャネルの希望波受信信号電力を熱雑音電力と複数チャネルのうちの他のチャネルの干渉電力との和で除算した商、いわゆるＳＩＲ（希望波受信信号電力対干渉波電力比）であり、判別するステップは、商と商の目標値との差が所定の時間以上だけ所定の閾値以上であるときに、移動局にチャネルを新規に割り当てることを拒絶することが好ましい。
【００２５】
複数チャネルは、通話チャネルと，通話チャネルより良い回線品質が要求されるデータ通信チャネルとを含んでいる。判別するステップは、データ通信チャネルの物理量にのみ基づいて可否を判別することが好ましい。
【００２６】
通信中の複数チャネルの拡散率は、要求される伝送速度と回線品質とに基づいて導出される。移動局に新規に割り当てられるチャネルの拡散率は、その複数チャネルと同様にして導出された拡散率より大きい。このような拡散率の制御は、通信中の複数チャネルへの干渉が小さく、複数チャネルの回線品質の劣化が小さい点で好ましい。
【００２７】
判別するステップは、回線品質が劣化しないように、複数チャネルの拡散率を大きくして移動局にチャネルを新規に割り当てることを許可することが好ましい。
【００２８】
【発明の実施の形態】
図面を参照して、本発明による基地局装置の実施の形態を説明する。その基地局装置１は、Ｗ−ＣＤＭＡ方式による移動通信システムに適用され、図１に示されているように、直交検波器２、複数のチャネルユニット３−１〜３−ｎ（ｎ＝２，３，４，…）、制御器４、直交変調器５および上位レイヤーの制御部６を備えている。チャネルユニット３−１〜３−ｎは、基地局装置１に割り当てられている複数（ｎ個）のチャネル毎に設けられている。そのチャネルは、基地局装置１と移動局との間で通信するために設けられる無線通信路のことであり、Ｗ−ＣＤＭＡ方式では符号系列を示している。
【００２９】
直交検波器２は、チャネルユニット３−１〜３−ｎに接続されている。チャネルユニット３−１〜３−ｎは、制御器４に双方向に接続され、直交変調器５に接続されている。制御器４は、上位レイヤーの制御部６に接続されている。チャネルユニット３−１〜３−ｎは、さらに、図示されていない通信網に接続されている。
【００３０】
直交検波器２は、チャネルが割り当てられている移動局から電波を介して受信される受信信号１０を直交検波し、または、準同期直交検波する。直交検波器２は、その直交検波により生成されたベースバンド信号１１−１〜１１−ｎをチャネルユニット３−１〜３−ｎにそれぞれ分配する。
【００３１】
各チャネルユニット３−ｉ（ｉ＝１，２，３，…，ｎ）は、対応するチャネルに割り当てられた移動局と、通信網との通信を仲介する。すなわち、チャネルユニット３−ｉは、その移動局により送信される情報をベースバンド信号１１−ｉから抽出して通信網に伝送し、ベースバンド信号１１−ｉに基づいてそのチャネルのＳＩＲとビット誤り率とを導出し、そのＳＩＲを示すＳＩＲ信号１２−ｉを制御器４に出力し、そのビット誤り率を示す誤り率信号１３−ｉを制御器４に出力する。チャネルユニット３−ｉは、さらに、通信網から伝送される情報を示す信号を符号多重して符号多重信号１５−ｉを生成して直交変調器５に出力する。その情報としては、通話に用いられる音声情報または電子メールなどのデータ通信に用いられる文字情報が例示される。
【００３２】
ＳＩＲは、通信中の１つのチャネルの希望波受信信号電力を、通信中の他のチャネルの干渉電力と熱雑音電力との和で除した値である。ビット誤り率は、単位時間内に発生した誤りのビット数を、単位時間内に受信したビットの総数で除した値である。なお、誤り率信号１３−ｉは、ブロック誤り率を示すこともできる。すべての信号は、複数ビットからなるブロックを１つの単位として伝送される。ブロック誤り率は、単位時間内に発生した誤りのブロック数を、単位時間内に受信したビットの総数で除した値である。
【００３３】
制御器４は、チャネルユニット３−１〜３−ｎからＳＩＲ信号１２−１〜１２−ｎと誤り率信号１３−１〜１３−ｎとをそれぞれ受信し、制御信号１４−１〜１４−ｎを生成してチャネルユニット３−１〜３−ｎにそれぞれ出力する。制御器４は、さらに、各チャネルに対する制御内容を示す制御信号１６を上位レイヤーの制御部６に出力する。
【００３４】
制御器４は、ゾーン内のチャネル資源を管理している。すなわち、制御器４は、チャネルが割り当てられていない移動局から通信要求（呼）を受信して、ＳＩＲ信号１２−１〜１２−ｎと誤り率信号１３−１〜１３−ｎとに基づいてその移動局にチャネルを割り当てるかどうかを判別し、割り当てるチャネルの拡散率を導出する。制御器４は、さらに、各チャネルの通信の種類を判別し、その種類に基づいて導出される最適な伝送速度に基づいてチャネルの拡散率を導出し、その拡散率を示す制御信号１４−１〜１４−ｎを生成する。チャネルの種類には、通話に用いられる通話チャネル、電子メールの伝送などのデータ通信に用いられるデータ通信チャネルの２種類がある。データ通信チャネルは、通話チャネルより厳しい（より良い）回線品質が要求されている。
【００３５】
直交変調器５は、符号多重信号１５−１〜１５−ｎのキャリアの位相と振幅とを直交変調して送信信号１７を生成し、送信信号１７を出力する。送信信号１７は、電波を介してチャネルが割り当てられている移動局に送信される。
【００３６】
図２は、チャネルユニット３−ｉを詳細に示している。チャネルユニット３−ｉは、受信信号処理部２１、測定制御部２２、送信データ生成部２３および送信信号処理部２４を備えている。
【００３７】
受信信号処理部２１は、ベースバンド信号１１−ｉに基づいて復号信号３１とレイク合成信号３２とを生成して測定制御部２２に出力する。復号信号３１は、さらに、通信網に出力される。
【００３８】
測定制御部２２は、復号信号３１に基づいてビット誤り率を示す誤り率信号３４を生成し、レイク合成信号３２に基づいてＳＩＲを示すＳＩＲ信号３３を生成する。誤り率信号３４はチャネルユニット３−ｉが出力する誤り率信号１３−ｉと一致し、ＳＩＲ信号３３はチャネルユニット３−ｉが出力するＳＩＲ信号１２−ｉと一致している。測定制御部２２は、さらに、復号信号３１とレイク合成信号３２とに基づいてＴＰＣビットを示すＴＰＣビット信号３５を生成して送信信号処理部２４に出力する。ＴＰＣビットは、送信電力制御のコマンドとして使用され、移動局は、ＴＰＣビットに基づいて送信電力を大きくし、または、小さくする。
【００３９】
送信データ生成部２３は、通信網を介して通信網に接続されている他の端末から伝送された送信データと、送受信処理に必要なシンボルとを示す送信データ信号３６を送信信号処理部２４に出力する。送信信号処理部２４は、ＴＰＣビット信号３５と送信データ信号３６とを制御信号１４−ｉに基づいて符号多重化して符号多重信号３７を生成して出力する。符号多重信号３７は、チャネルユニット３−ｉが出力する符号多重信号１５−ｉと一致している。
【００４０】
図３は、チャネルユニット３−ｉに属する受信信号処理部２１を詳細に示している。受信信号処理部２１は、相関検出器４１、逆拡散器４２、レイク合成器４３および誤り訂正復号器４４を備えている。
【００４１】
相関検出器４１は、ベースバンド信号１１−ｉと予め設定されている拡散符号系列を相関処理してパスを検出し、そのパスを示すパス信号５１を逆拡散器４２に出力する。逆拡散器４２は、パス信号５１に基づいて拡散符号を用いてベースバンド信号１１−ｉを逆拡散して逆拡散信号５２を生成し、逆拡散信号５２をレイク合成部４３に出力する。レイク合成器４３は、逆拡散信号５２を各パス毎にパイロットシンボルなどを用いてチャネル推定し、フェージング変動などによる位相の変動を補正して、同位相で合成してレイク合成信号５３を生成し、レイク合成信号５３を誤り訂正復号器４４に出力する。レイク合成信号５３は、受信信号処理部２１が出力するレイク合成信号３２と一致している。誤り訂正復号器４４は、レイク合成信号５３を誤り訂正復号して復号信号５４を生成し、復号信号を出力する。復号信号５４は、受信信号処理部２１が出力する復号信号３１と一致している。
【００４２】
図４は、チャネルユニット３−ｉに属する測定制御部２２を詳細に示している。測定制御部２２は、誤り検出測定部６１、目標品質生成部６２、回線品質比較回路６３、ＳＩＲ測定部６４、目標ＳＩＲ生成部６５、ＳＩＲ比較回路６６およびＴＰＣビット生成部６７を備えている。
【００４３】
誤り検出測定部６１は、再符号化、ＣＲＣを用いて復号信号３１から誤りを検出してビット誤り率を測定し、そのビット誤り率を示す誤り率信号７１を回線品質比較回路６３に出力する。誤り率信号７１は、測定制御部２２が出力する誤り率信号３４に一致している。目標品質生成部６２は、目標であるビット誤り率を示す目標ビット誤り率を設定し、その目標ビット誤り率を示す目標誤り率信号７２を回線品質比較回路６３に出力する。その目標ビット誤り率は、そのチャネルの種類により導出される。回線品質比較回路６３は、誤り率信号７１と目標誤り率信号７１とに基づいてビット誤り率と目標ビット誤り率とを比較し、比較結果を示す品質比較信号７３を目標ＳＩＲ生成部６５に出力する。
【００４４】
ＳＩＲ測定部６４は、レイク合成信号３２に基づいてＳＩＲを測定し、そのＳＩＲを示すＳＩＲ信号７４をＳＩＲ比較回路６６に出力する。目標ＳＩＲ生成部６５は、品質比較信号７３に基づいて目標ＳＩＲを導出し、その目標ＳＩＲを示す目標ＳＩＲ信号７５をＳＩＲ比較回路に出力する。すなわち、目標ＳＩＲ生成部６５は、ビット誤り率の測定値が目標ビット誤り率より小さいときに、目標ＳＩＲを大きく設定し、ビット誤り率の測定値が目標ビット誤り率より小さいときに、目標ＳＩＲを小さく設定する。ＳＩＲ比較回路６６は、ＳＩＲ信号７４と目標ＳＩＲ信号７５とに基づいてＳＩＲと目標ＳＩＲとを比較し、比較結果を示すＳＩＲ比較信号７６をＴＰＣビット生成部６７に出力する。
【００４５】
ＴＰＣビット生成部６７は、ＳＩＲ比較信号７６に基づいてＴＰＣビットを生成し、ＴＰＣビットを示すＴＰＣビット信号７７を出力する。すなわち、ＴＰＣビットは、ＳＩＲの測定値が目標ＳＩＲより大きいときに、移動局の送信電力を小さくする指示を示し、ＳＩＲの測定値が目標ＳＩＲより小さいときに、移動局の送信電力を大きくする指示を示している。ＴＰＣビット信号７７は、測定制御部２２が出力するＴＰＣビット信号３５と一致している。
【００４６】
図５は、制御器４を詳細に示している。制御器４は、最小値検出器８１、最大検出器８２および回線接続制御回路８３を備えている。最小値検出器８１は、ＳＩＲ信号１２−１〜１２−ｎに基づいてＳＩＲの最小値を導出し、その最小値を示す最小値信号８６を回線接続制御回路８３に出力する。最大値検出器８２は、誤り率信号１３−１〜１３−ｎに基づいてビット誤り率の最大値を導出し、その最大値を示す最大値信号８７を回線接続制御回路８３に出力する。なお、最小値検出器８１は、データ通信チャネルに関するＳＩＲの最小値を導出して、その最小値を示す最小値信号８６を回線接続制御回路８３に出力することもできる。最大値検出器８２は、データ通信チャネル誤り率信号１３−１〜１３−ｎに基づいてビット誤り率の最大値を導出し、その最大値を示す最大値信号８７を回線接続制御回路８３に出力することもできる。
【００４７】
回線接続制御回路８３は、最小値信号８６と最大値信号８７とに基づいて拡散率を示す制御信号８８−１〜８８−ｎを生成して出力する。制御信号８８−１〜８８−ｎは、制御器４が出力する制御信号１４−１〜１４−ｎと一致している。回線接続制御回路８３は、さらに、制御信号８９を生成して出力する。制御信号８９は、制御器４が出力する制御信号１６と一致している。回線接続制御装置８３は、さらに、チャネルが割り当てられていない移動局から通信要求（呼）を受信して、その移動局にチャネルを割り当てるかどうかを判別している。
【００４８】
図６は、チャネルユニット３−ｉに属する送信信号処理部２４を詳細に示している。送信信号処理部２４は、データ多重器９１、ＱＰＳＫマッピング９２、拡散器９３および符号多重器９４を備えている。
【００４９】
データ多重器９１は、ＴＰＣビット信号３５と送信データ信号３６とに基づいて、送信データ、ＴＰＣビットおよび受信処理に必要なシンボルを多重化してデータ多重信号９６を生成し、データ多重信号９６をＱＰＳＫマッピング９２に出力する。ＱＰＳＫマッピング９２は、データ多重信号９６をＱＰＳＫ（Ｑｕａｄｒａｔｕｒｅ　Ｐｈａｓｅ　Ｓｈｉｆｔ　Ｋｅｙｉｎｇ）の位相にマッピングしてＱＰＳＫ変調信号９７を生成し、ＱＰＳＫ変調信号９７を拡散器９３に出力する。
【００５０】
拡散器９３は、拡散符号を用いて制御信号１４−ｉに基づいてＱＰＳＫ変調信号９７を直接拡散して拡散信号９８を生成し、拡散信号９８を符号多重器９４に出力する。符号多重器９４は、拡散信号９８を多重して符号多重信号９９を生成して出力する。符号多重信号９９は、送信信号処理部２４が出力する符号多重信号３７と一致している。
【００５１】
本発明による回線接続制御方法の実施の形態は、基地局装置１を用いて実行され、チャネルが割り当てられている移動局の送信電力を制御する動作と、チャネルが割り当てられていない移動局にチャネルを新規に割り当てることを制御する動作とを含んでいる。
【００５２】
チャネルが割り当てられている移動局の送信電力を制御する動作は、基地局装置１により常時に実行される。基地局装置１は、通信中の複数の移動局に割り当てられている各々のチャネルのＳＩＲとビット誤り率とを測定する。基地局装置１は、測定されるビット誤り率が要求される目標誤り率より大きいときに、小さい値である目標ＳＩＲを生成し、測定されるビット誤り率が要求される目標誤り率より大きいときに、大きい値である目標ＳＩＲを生成する。
【００５３】
基地局装置１は、測定されたＳＩＲが目標ＳＩＲより大きいときに、送信電力を小さくするＴＰＣビットを生成し、測定されたＳＩＲが目標ＳＩＲより小さいときに、送信電力を大きくするＴＰＣビットを生成する。移動局は、受信したＴＰＣビットに基づいて基地局装置１００に出力する電波の送信電力を変更する。このような動作は、移動局が送信する信号の干渉を低減させて、保証されるチャネルのビット誤り率を保持して回線品質を安定化させる。
【００５４】
チャネルが割り当てられていない移動局にチャネルを新規に割り当てることを制御する動作は、その移動局が基地局装置１に新規にチャネルの割り当てを要求するときに実行される。移動通信では、すべての移動局が通信網の間で通信するチャネルが常時に割り当てられていない。移動局は、通信網を介して通信するときに、基地局装置１に電波を介して通信要求（呼）を送信して、チャネルの割り当てを要求する。
【００５５】
基地局装置１は、その呼に応答して、通信中のデータ通信チャネルのＳＩＲとビット誤り率とを測定し、そのＳＩＲの最小値を導出し、そのビット誤り率の最大値を導出する。基地局装置１は、ＳＩＲの最小値が所定の値より小さいときに、または、ビット誤り率の最大値が所定の値より大きいときに、その移動局にチャネルを新規に割り当てない。基地局装置１は、ＳＩＲの最小値が所定の値より小さく、ビット誤り率の最大値が所定の値より大きく、かつ、基地局装置１に割り当てられているチャネルのうち空いているチャネルがあるときに、その空いているチャネルをその移動局に割り当てる。通信中のチャネルは、一般に、基地局装置が移動局に新規にチャネルを割り当てたときに、ＳＩＲが低下して、または、ビット誤り率が増大して、回線品質が劣化する。すなわち、基地局装置１は、新規にチャネルを割り当てた場合に通信中のチャネルに要求される回線品質を保証できないときに、割り当てを拒否する。
【００５６】
基地局装置１は、ＳＩＲの最小値が所定の値より小さいときに、または、ビット誤り率の最大値が所定の値より大きいときに、通信中のチャネルに要求される回線品質を保証しつつ拡散率が要求される通信品質に基づいて導出されるものより大きいチャネルを新規に移動局に割り当てられるかを判別する。基地局装置１は、拡散率が大きいチャネルを割り当てることができるときに、その移動局に拡散率が大きいチャネルを新規に割り当てる。
【００５７】
基地局装置１は、さらに、ＳＩＲの最小値が所定の値より小さいときに、または、ビット誤り率の最大値が所定の値より大きいときに、通信中のチャネルに要求される回線品質を保証しつつ拡散率を大きくすることができるかどうかを判別する。基地局装置１は、拡散率を大きくすることができるときに、他のチャネルの拡散率を大きくしてその移動局にチャネルを新規に割り当てる。
【００５８】
一般に、基地局装置１が移動局に新規にチャネルを割り当てると、基地局装置１のゾーン内の通信中の複数のチャネルの干渉が増加する。本発明による回線接続制御方法は、通信中のチャネルの回線品質の低下と通信中のチャネルの切断とを防止することができる。
【００５９】
なお、基地局装置１は、データ通信チャネルのみではなく、すべての通信中のチャネルのＳＩＲとビット誤り率とを測定して、そのＳＩＲとビット誤り率とに基づいて割り当てるか割り当てないかを判別することもできる。このときも、同様に、本発明による回線接続制御方法は、通信中のチャネルの回線品質の低下と通信中のチャネルの切断とを防止することができる。
【００６０】
【発明の効果】
本発明による基地局装置及び回線接続制御方法は、通信中の回線の回線品質を安定化させることができる。
【図面の簡単な説明】
【図１】図１は、本発明による基地局装置の実施の形態を示すブロック図である。
【図２】図２は、チャネルユニットを示すブロック図である。
【図３】図３は、受信信号処理部を示すブロック図である。
【図４】図４は、測定制御部を示すブロック図である。
【図５】図５は、制御器を示すブロック図である。
【図６】図６は、送信信号処理部を示すブロック図である。
【図７】図７は、公知の基地局装置の実施の形態を示すブロック図である。
【図８】図８は、上り回線のフレームを示す図である。
【図９】図９は、下り回線のフレームを示す図である。
【符号の説明】
１　：基地局装置
２　：直交検波器
３−１〜３−ｎ：チャネルユニット
４　：制御器
５　：直交変調器
６　：上位レイヤーの制御部
１０：受信信号
１１−１〜１１−ｎ：ベースバンド信号
１２−１〜１２−ｎ：ＳＩＲ信号
１３−１〜１３−ｎ：誤り率信号
１４−１〜１４−ｎ：制御信号
１５−１〜１５−ｎ：符号多重信号
１６：制御信号
１７：送信信号
２１：受信信号処理部
２２：測定制御部
２３：送信データ生成部
２４：送信信号処理部
３１：復号信号
３２：レイク合成信号
３３：ＳＩＲ信号
３４：誤り率信号
３５：ＴＰＣビット信号
３６：送信データ信号
３７：符号多重信号
４１：相関検出器
４２：逆拡散器
４３：レイク合成部
４４：誤り訂正復号器
５１：パス信号
５２：逆拡散信号
５３：レイク合成信号
５４：復号信号
６１：誤り検出測定部
６２：目標品質生成部
６３：回線品質比較回路
６４：ＳＩＲ測定部
６５：目標ＳＩＲ生成部
６６：ＳＩＲ比較回路
６７：ＴＰＣビット生成部
７１：誤り率信号
７２：目標誤り率信号
７３：誤り率比較信号
７４：ＳＩＲ信号
７５：目標ＳＩＲ信号
７６：ＳＩＲ比較信号
７７：ＴＰＣビット信号
８１：最小値検出器
８２：最大値検出器
８３：回線接続制御回路
８６：最小値信号
８７：最大値信号
８８−１〜８８−ｎ：制御信号
８９：制御信号
９１：データ多重器
９２：ＱＰＳＫマッピング
９３：拡散器
９４：符号多重器
９６：データ多重信号
９７：ＱＰＳＫ変調信号
９８：拡散信号
９９：符号多重信号
【図１】
2004032210.tif 000003
【図２】
2004032210.tif 000004
【図３】
2004032210.tif 000005
【図４】
2004032210.tif 000006
【図５】
2004032210.tif 000007
【図６】
2004032210.tif 000008
【図７】
2004032210.tif 000009
【図８】
2004032210.tif 000010
【図９】
2004032210.tif 000011